(57)【要約】【課題】ファン装置の運転のオン／オフ操作の禁止と解除とを必要に応じて一括して行え、利便性の向上を図ったファン制御システムを提供することにある。【解決手段】オン／オフ禁止操作端末器４はファン制御端末器２でのファン装置５の運転のオン／オフの禁止とその禁止の解除とを設定する操作スイッチＳ０を有するとともに固有のアドレスが設定され、操作スイッチＳ０の操作時に操作データを伝送ユニット１に送信する。伝送ユニット１はオン／オフ禁止操作端末器４からの操作データの受信の度に、各ファン制御端末器２に対してファン装置５の運転のオン／オフの禁止を指令する制御データとその禁止の解除を指令する制御データの一方を交互に生成して送信する。【選択図】図１
2006112739.tif 000002
【特許請求の範囲】
【請求項１】
ファン装置の運転のオン／オフを操作する操作スイッチを少なくとも有するとともに固有のアドレスが設定され、前記操作スイッチの操作に応じた操作データを信号線を通じて送信する複数のファン操作端末器と、
固有のアドレスが設定され、前記信号線を通じて当該アドレス宛に送られてくる制御データに基づいて前記ファン装置のオン／オフを制御する複数のファン制御端末器と、
前記信号線を通じて前記ファン操作端末器及び前記ファン制御端末器に接続され、各端末器との間で多重伝送により前記操作データ、前記制御データの授受を行う送受信機能を備え、前記ファン操作端末器から送られくる前記操作データを受信すると、当該操作データに対応した制御データを生成して当該ファン操作端末器に対応関係が設定されている前記ファン制御端末器のアドレス宛に送信する伝送ユニットとからなり、
前記ファン制御端末器でのファン装置の運転のオン／オフの禁止とその禁止の解除とを設定する操作スイッチを有するとともに固有のアドレスが設定され、前記操作スイッチの操作時に操作データを前記伝送ユニットに送るオン／オフ禁止操作端末器を備え、
前記伝送ユニットには前記オン／オフ禁止操作端末器からの操作データの受信の度に、該オン／オフ禁止操作端末器に対応付けられている各ファン制御端末器でのファン装置の運転のオン／オフの制御実行について禁止とその禁止の解除とを交互に設定する処理を行う処理機能を備えていることを特徴とするファン装置制御システム。
【請求項２】
前記伝送ユニットの前記の処理機能は、前記オン／オフ禁止操作端末器からの操作データの受信の度に、該オン／オフ禁止操作端末器に予め対応付けられている各ファン制御端末器に対して前記ファン装置の運転のオン／オフの禁止を指令する制御データとその禁止の解除を指令する制御データの一方を交互に生成して送信する機能であって、
前記ファン制御端末器には自己アドレス宛に前記オン／オフの禁止又はその禁止の解除を指令する制御データが送られてくると、前記ファン装置の運転のオン／オフに対応した制御データの受信時の制御実行の禁止又はその禁止の解除を設定する機能を備えていることを特徴とする請求項１記載のファン装置制御システム。
【請求項３】
前記伝送ユニットの前記処理機能は、前記オン／オフ禁止操作端末器からの操作データの受信の度に、オン／オフ禁止操作端末器に予め対応付けられている各ファン制御端末器でのファン装置の運転のオン／オフの制御実行について禁止とその禁止の解除とを交互に設定し、禁止が設定している状態で前記ファン装置の運転のオン／オフ操作に対応した前記ファン操作端末器からの操作データを受信したときに該操作データによる制御データの生成と送信を行わない処理を行う機能であることを特徴とする請求項１記載のファン装置制御システム。
【発明の詳細な説明】
【技術分野】
【０００１】
本発明は、換気扇やファンコイル装置等のファン装置を遠隔制御するファン装置制御システムに関するものである。
【背景技術】
【０００２】
ビル等には空調設備として多数のファンコイル装置や換気扇等のファン装置が設置されているが、各ファン装置に遠隔操作のための操作スイッチ部を設けると配線などが煩雑になるため、省配線が可能な時分割多重伝送によってファン装置の運転を遠隔操作するシステムが提供されている（例えば、特許文献１）。
【特許文献１】特開平１１−３２５５６１号公報
【発明の開示】
【発明が解決しようとする課題】
【０００３】
ところで、上述のファン装置は、電気メンテナンス業者により定期的に点検されたり、或いはビル管理人や使用者が清掃を行うことがあるが、点検中であることや掃除中であることを知らない者が操作スイッチを操作してファン装置の運転をオンさせてしまい、点検や掃除の作業に支障を与える恐れがあった。また逆に建物の換気や空調の都合上或いはメンテナンス作業上、ファン装置をオフさせたくない場合もあるが、事情を知らない者が操作スイッチを操作してファン装置の運転をオフさせてしまうという問題があった。この場合操作スイッチを設けなければ良いが、メンテナンスや清掃時に困るという新たな問題が生じる。
【０００４】
本発明は、上述の点に鑑みて為されたもので、その目的とするところ、複数のファン装置の運転のオン／オフの禁止と解除とを必要に応じて一括して行えるファン制御システムを提供することにある。
【課題を解決するための手段】
【０００５】
上述の目的を達成するために請求項１の発明では、ファン装置の運転のオン／オフを操作する操作スイッチを少なくとも有するとともに固有のアドレスが設定され、前記操作スイッチの操作に応じた操作データを信号線を通じて送信する複数のファン操作端末器と、固有のアドレスが設定され、前記信号線を通じて当該アドレス宛に送られてくる制御データに基づいて前記ファン装置のオン／オフを制御する複数のファン制御端末器と、前記信号線を通じて前記ファン操作端末器及び前記ファン制御端末器に接続され、各端末器との間で多重伝送により前記操作データ、前記制御データの授受を行う送受信機能を備え、前記ファン操作端末器から送られくる前記操作データを受信すると、当該操作データに対応した制御データを生成して当該ファン操作端末器に対応関係が設定されている前記ファン制御端末器のアドレス宛に送信する伝送ユニットとからなり、前記ファン制御端末器でのファン装置の運転のオン／オフの禁止とその禁止の解除とを設定する操作スイッチを有するとともに固有のアドレスが設定され、前記操作スイッチの操作時に操作データを前記伝送ユニットに送るオン／オフ禁止操作端末器を備え、前記伝送ユニットには前記オン／オフ禁止操作端末器からの操作データの受信の度に、該オン／オフ禁止操作端末器に対応付けられている各ファン制御端末器でのファン装置の運転のオン／オフの制御実行について禁止とその禁止の解除とを交互に設定する処理を行う処理機能を備えていることを特徴とする。
【０００６】
請求項１の発明によれば、メンテナンスや清掃時にファン装置の運転がオンされたくない場合や、逆に換気や空調の都合上或いはメンテナンスの作業上ファン装置の運転をオフされたくない場合等必要に応じて、オン／オフ操作禁止端末器の操作スイッチを操作するだけで、複数のファン装置の運転のオン／オフを一括的に禁止することができる。
【０００７】
請求項２の発明では、請求項１の発明において、前記伝送ユニットの前記の処理機能は、前記オン／オフ禁止操作端末器からの操作データの受信の度に、該オン／オフ禁止操作端末器に予め対応付けられている各ファン制御端末器に対して前記ファン装置の運転のオン／オフの禁止を指令する制御データとその禁止の解除を指令する制御データの一方を交互に生成して送信する機能であって、前記ファン制御端末器には自己アドレス宛に前記オン／オフの禁止又はその禁止の解除を指令する制御データが送られてくると、前記ファン装置の運転のオン／オフに対応した制御データの受信時の制御実行の禁止又はその禁止の解除を設定する機能を備えていることを特徴とする。
【０００８】
請求項２の発明によれば、信号線の配線替えなどを伴うことなく、オン／オフ操作禁止端末器の操作スイッチを操作するだけで、複数のファン装置の運転のオン／オフ操作を一括的に禁止することができるファン装置制御システムを提供できる。
【０００９】
請求項３の発明では、請求項１の発明において、前記伝送ユニットの前記処理機能は、前記オン／オフ禁止操作端末器からの操作データの受信の度に、オン／オフ禁止操作端末器に予め対応付けられている各ファン制御端末器でのファン装置の運転のオン／オフの制御実行について禁止とその禁止の解除とを交互に設定し、禁止が設定している状態で前記ファン装置の運転のオン／オフ操作に対応した前記ファン操作端末器からの操作データを受信したときに該操作データによる制御データの生成と送信を行わない処理を行う機能であることを特徴とする。
【００１０】
請求項３の発明によれば、信号線の配線替えなどを伴うことなく、オン／オフ操作禁止端末器の操作スイッチを操作するだけで、複数のファン装置の運転のオン／オフ操作を一括的に禁止することができるファン装置制御システムを提供でき、特に伝送ユニットの処理機能の改良だけで実現できる。
【発明の効果】
【００１１】
本発明は、メンテナンスや清掃時にファン装置の運転がオンされたくない場合や、逆に換気や空調の都合上或いはメンテナンスの作業上ファン装置の運転をオフされたくない場合等必要に応じて、オン／オフ操作禁止端末器の操作スイッチを操作するだけで、複数のファン装置の運転のオン／オフを一括的に禁止することができるという効果がある。
【発明を実施するための最良の形態】
【００１２】
以下本発明を実施形態により説明する。
（実施形態１）
本実施形態のシステムは図１に示すようにシステムの中枢となる伝送ユニット１と、複数のファン制御端末器２（２１，２２，…，２ｎ）と、各ファン制御端末器２に対応するファン操作端末器３（３１，３２，…，３ｎ）と、オン／オフ禁止操作端末器４と、各ファン制御端末器２に接続される夫々ファンコイルユニットのようなファン装置５（５１，５２，…，５ｎ）と、各例えばＡＣ１００Ｖを２４Ｖに降圧し、電源線９を介して各ファン制御端末器２に動作電源として供給するトランス６とから構成され、各端末器２，３、４は夫々の信号端子に接続される２線からなる信号線７を介して伝送ユニット１と接続され、伝送ユニット１との間で時分割多重伝送信号によるデータ授受を行うようなっている。
【００１３】
本実施形態はハードウェア的には上述の特許文献１に示されているファンコイルシステムにおいてオン／オフ禁止操作端末器４を設けた点で相違するものあるが、次に各構成要素について簡単に説明する。
【００１４】
伝送ユニット１は信号線７に対して図２（ａ）、（ｂ）のようなフォーマットの伝送信号Ｖｓを送信する。すなわち、伝送信号Ｖｓは、信号送信開始を示すスタートパルスＳＴ、信号モードを示すモードデータＭＤ、アドレスデータＡＤ、制御データＣＤ、伝送エラーを検出するチェックサムデータＣＳ、ファン操作端末器３やオン／オフ禁止操作端末器４からの返信データ信号の返送期間を設定する信号返送期間ＷＴ用の長パルスよりなる複極（±２４Ｖ）の時分割多重信号であり、パルス幅変調によってデータが伝送されるようになっている。
【００１５】
各端末器２、３、４では、信号線７を介して受信した伝送信号Ｖｓにより伝送されたアドレスデータＡＤが予め設定されている自己のアドレス（固有アドレス）と一致すると、伝送信号Ｖｓの制御データＣＤを取り込むとともに、伝送信号Ｖｓの信号返送期間ＷＴに同期して返信データを電流モード信号（信号線７の線間を適当な低インピーダンスを介して短絡して送信される信号）として返送する。
【００１６】
また、伝送ユニット１には、ダミー信号送信手段及び割り込み処理手段が設けられており、ダミー信号送信手段は、モードデータＭＤをダミーモードとしたダミー伝送信号を常時送信する。また、割り込み処理手段は図２（ｃ）に示すような割り込み信号Ｖｉが返送されたときに、割り込み信号Ｖｉを発生したファン操作端末器３若しくはオン／オフ禁止操作端末器４を検出し、その検出した当該操作端末器をアクセスして割り込み信号Ｖｉを発生した当該操作端末器から返信データを返送させるようになっている。すなわち、常時はダミー信号送信手段によってダミー伝送信号を信号線７に送信し、後述する操作スイッチの操作に伴ってファン操作端末器３又はオン／オフ禁止操作端末器４から発生した割り込み信号Ｖｉをダミー伝送信号のスタートパルス信号ＳＴに同期して検出すると、伝送ユニット１からは割り込み処理手段によってモードデータ信号ＭＤをアドレス確認モードとした伝送信号Ｖｓを信号線７に送信する。割り込み信号Ｖｉを発生した当該端末器では割り込みの要求を行う割り込みフラグを設定し、その設定後モードデータ信号ＭＤがアドレス確認モードの伝送信号Ｖｓを受信すると、この伝送信号Ｖｓの信号返送期間ＷＴに同期して当該端末器に設定している固有のアドレスのデータ及び操作データを返信データ信号として返送する。このようにして伝送ユニット１では割り込み信号Ｖｉを発生したファン操作端末器３やオン／オフ禁止操作端末器４のアドレスと操作データを獲得することができる。
【００１７】
そして伝送ユニット１では、割り込み信号Ｖｉを発生したファン操作端末器３から返送されてくる操作データに基づいた制御データＣＤを生成し、当該ファン操作端末器３に対応関係が予め設定されているファン制御端末器３のアドレス宛に、生成した制御データＣＤを含む伝送信号Ｖｓを信号線７を介して送信し、対応するファン制御端末器２に接続されている負荷たるファン装置５の運転を制御させる機能と、オン／オフ禁止操作端末器４から返送されてくる操作データに基づいて、ファン操作端末器３によるファン装置５の運転のオン／オフ操作に対して制御実行を一括に禁止或いはその禁止を解除するための指令を与える制御データＣＤを生成して、伝送信号Ｖｓにより順次各ファン制御端末器２に対して送信する機能を備えている。
【００１８】
ここで実施形態に用いるファン操作端末器３は後述する４つの操作スイッチＳ１〜Ｓ４からなる操作スイッチ部１０を備え、４つの操作スイッチＳ１〜Ｓ４によってファン装置５に対して４通りの操作を可能として、対応するファン制御端末器３ではファン装置５の運転に対して後述する４通りの制御を行うようになっている。ここで操作スイッチＳ１〜Ｓ４の操作と制御内容との対応関係は伝送ユニット１で管理される。
【００１９】
一方オン／オフ禁止操作端末器４は押釦を前面に露出させた押釦スイッチからなる操作スイッチＳ０からなる操作部１０を備え、この操作スイッチＳ０の操作によって、システム上のファン装置５に対するオン／オフ制御の禁止とその禁止の解除の一括設定を行うためのもので、その操作スイッチＳ０の操作と禁止／禁止解除との対応関係は伝送ユニット１で管理される。
【００２０】
ここで本実施形態に用いるファン装置５は、ファンＦ、ファン駆動用モータＭ、熱交換コイルへの冷媒・熱媒の流れを制御する電動弁Ｖなどを具備し、商用電源のような交流電源ＡＣからの電源供給を受けて動作するものであり、送風能力（運転モード）を「強」、「中」、「弱」の３段階の切り替えが可能となっており、ファン制御端末器２からは運転オン時に「強」、「中」、「弱」の運転制御の３通りの何れかの駆動出力と、電動弁Ｖの駆動出力とを駆動出力線９を介して受け取るようになっている。
【００２１】
またファン操作端末器３の操作スイッチＳ１〜Ｓ４の操作内容は次の通りである。つまり操作スイッチＳ１は対応するファン装置５の運転モードを「強」とするためのスイッチ、操作スイッチＳ２は前記運転モードを「中」とするためのスイッチ、操作スイッチＳ３は前記運転モードを「弱」とするためのスイッチ、操作スイッチＳ４はファン装置５の運転（電源）をオン／オフするためのスイッチであって、夫々押釦スイッチからなり夫々の押釦を操作部１０の前面に露出させている。
【００２２】
このファン操作端末器３に対応して伝送ユニット１には、ファン操作端末器３の前記４つの操作スイッチＳ１〜Ｓの押釦の操作に応じた内容の操作データが返信データ信号して送られくると、操作データ内容から操作された操作スイッチを判断し、その判断に基づいてファン装置５の送風能力の「強」、「中」、「弱」及び運転のオン／オフの何れかに対応付けた制御データＣＤを生成し、予め対応付けてあるファン制御端末器２のアドレス宛に伝送信号Ｖｓにより送信する処理機能を備えている。
【００２３】
また伝送ユニット１には、オン／オフ禁止操作端末器４の操作スイッチＳ０の押釦の操作に応じて操作データが返信データ信号として送られくると、予め対応付けている（実施形態では全て）ファン制御端末器２でのファン装置５の運転のオン／オフの制御の実行の禁止又はその禁止の解除を指令する制御データＣＤを生成し、この制御データＣＤを順次各ファン制御端末器２の後述する設定機能のアドレス宛に伝送信号Ｖｓにより送信する処理機能を備えている。
【００２４】
各ファン制御端末器２には禁止又はその禁止の解除の制御データに対応してファン装置５の運転のオン／オフの制御実行に対する禁止とその禁止の解除を設定する機能を備えるとともにその設定機能に対応する固有のアドレスを有している。
【００２５】
従ってファン操作端末器３で操作スイッチＳ４の操作があって、これに対応して伝送ユニット１でファン装置５の運転のオン／オフを制御する制御データＣＤが生成され、当該ファン操作端末器３に対応付けられているファン制御端末器２に対して伝送信号Ｖｓにより送信されると、制御データＣＤを受け取った当該ファン制御端末器２では前記設定機能の設定状態が「禁止」であれば、受け取った制御データＣＤによる制御を実行せず、現在のファン装置５の運転状態を維持し、設定状態が「禁止解除」であれば、制御データＣＤに応じてファン装置５の運転をオン又はオフさせる制御を行うのである。
【００２６】
つまり操作端末器３の操作スイッチＳ４によるファン装置５のオン／オフ操作をオン／オフ禁止操作端末器４の操作スイッチＳ０の操作によって禁止することもその禁止状態を解除することもできることになる。
【００２７】
ここでオン／オフ禁止操作端末器４の操作スイッチＳ０の操作によって全ファン装置５に対するオン／オフ操作を一括禁止する事例としては、上述したように電気メンテナンス業者がファン装置５の点検を行う場合に、点検中であることを知らない者がファン操作端末器３の操作スイッチＳ４を不用意に操作して運転をオン／オフ操作させて点検作業に支障を来す場合や、管理者や使用者がファン装置５の運転をオフして清掃しているときに、清掃中を知らない者が不用意に清掃中のファン装置５に対応するファン操作端末器３の操作スイッチＳ４を操作して運転をオンさせ、清掃作業に支障を来すのを防ぎたい場合、更に空調（換気扇の場合には換気）の都合上、ファン装置５の運転をオフされること困る場合などがある。尚オン／オフ禁止操作端末器４の設置場所としては不用意には操作できない場所が好ましい。
【００２８】
尚ファン操作端末器３（及びオン／オフ禁止操作端末器４）の回路構成は上述の特許文献１に示されている操作用端末器と基本的に同じ構成であるが、図３により簡単に説明する。
【００２９】
ファン操作端末器３（及びオン／オフ禁止操作端末器４）は図３に示すようにマイクロコンピュータ等よりなる信号処理部３０を備え、信号処理部３０は送受信回路３１を介して信号線７に接続される。送受信回路３１は、受信機能部と送信機能部とからなり、伝送ユニット１から信号線７に伝送された上述の伝送信号Ｖｓ（図２参照）を受信機能部で受信して信号処理部３０に入力する。一方、信号処理部３０からは、送信機能部を通して（前記信号線７の両線路間を適当な低インピーダンスを介して短絡して）電流モード信号の返送データ信号を伝送ユニット１へ返送できるようにしてある。また、信号処理部３０には、上述の操作スイッチＳ１〜Ｓ４（或いはＳ０）を具備した操作部１０、各操作スイッチＳ１〜Ｓ４或いはＳ０の操作による制御状態を表示する発光ダイオードからなる表示素子ＬＤ１１，ＬＤ１２、ＬＤ２１，ＬＤ２２、ＬＤ３１，ＬＤ３２、ＬＤ４１，ＬＤ４２或いはＬＤ０１，ＬＤ０２を具備した表示回路３２、外部から例えばワイヤレス信号等によってアドレス及び負荷番号（下位アドレス）を設定するアドレス設定部３３が接続されている。また信号線７に常時伝送されている複極のベースバンド信号からなる伝送信号Ｖｓを整流して内部回路の動作電源を得る電源回路３４を備えることで、配線を小勢力の信号線７のみで行って省線化を図って、施工性を向上させている。
【００３０】
一方ファン制御端末器２は、伝送ユニット１からの信号線７が接続される一対の信号端子Ｎ１，Ｎ２と、トランス６からの電源線８が接続される一対の電源端子Ｔ１，Ｔ２と、共通端子であって交流電源ＡＣの一端が接続される端子Ｔ５と、ファン装置５に駆動出力線９を介して接続される端子Ｔ３〜Ｔ７とを備えている。尚端子Ｔ６は運転オン時に電動弁Ｖに駆動出力を与える端子、端子Ｔ５〜Ｔ７はモータＭの駆動力、つまり送風能力に対応した駆動出力を運転オン時にモータＭに夫々与える端子であって、端子Ｔ５はモータＭの「弱」に対応し、端子Ｔ６はモータＭの「中」に対応し、端子Ｔ７はモータＭの「強」に対応している。
【００３１】
そしてファン制御端末器２は、図４に示すように上述した特許文献１におけるファンコイル制御用端末器と同様な回路から構成されている。すなわち、マイクロコンピュータ等よりなる信号処理部２０を備え、信号処理部２０は送受信回路２１を介して信号端子Ｎ１，Ｎ２により前記信号線７に接続される。送受信回路２１は、トランジスタＱ１、フォトカプラＰＣ１を備えた受信機能部２１ａと、トランジスタＱ２，Ｑ３と抵抗Ｒ５とフォトカプラＰＣ２を備えた送信機能部２１ｂとからなる。従って、伝送ユニット１から信号線７に伝送された上述の伝送信号Ｖｓ（図２参照）は、受信機能部２１ａを通して信号処理部２０に入力される。一方、信号処理部２０からは、トランジスタＱ３をオンにすることにより前記信号線７の両線路間を抵抗Ｒ５を介して短絡して電流モードによる返送データ信号を伝送ユニット１に返送できるようにしてある。ここで、ダイオードブリッジＤＢ１は、送信機能部２１ｂと共用されている。伝送信号Ｖｓの受信状態は、信号処理部２０に接続された受信表示用発光ダイオードＬＥＤ２の点滅により示される。
【００３２】
信号処理部２０への給電は、トランス６から給電されるＡＣ２４ＶをダイオードブリッジＤＢ２により全波整流し、トランジスタＱ４、ツェナーダイオードＺＤ１、コンデンサＣ２等によりなる電源回路２２によって安定化し、更にトランジスタＱ５、ツェナーダイオードＺＤ２、コンデンサＣ３等によりなる電源回路２３を通して行われる。
【００３３】
ファン制御端末器２のアドレスや信号処理部２０の機能を設定する機能データは、例えばＥＥＰＲＯＭなどの不揮発性メモリよりなるデータ記憶部２４に格納されている。データ記憶部２４に格納されるデータは、フォトダイオードＰＤ１等からなる光信号受信回路２５により受信された信号を信号処理部２０で処理して作成される。ここに、光信号受信回路２５で受信される信号は、外部のアドレス設定器（図示せず）から発信された赤外線等によるワイヤレス信号である。
【００３４】
またファン制御端末器２には、発光ダイオードＬＥＤ１、トランジスタＱ６などからなる光信号送信回路２６が設けられ、アドレス設定器からのワイヤレス信号が受信されると、その信号の内容に応じて受信確認や設定確認などの応答信号をワイヤレス信号としてアドレス設定器に返送するようになっている。ここで、前記アドレス設定器によりアドレス及び負荷番号の設定が行われる。
【００３５】
尚信号処理部２０には、基本クロックを与える発信回路４３、信号処理部２０をリセットするためのリセット回路２７等も接続されている。
【００３６】
更にまたファン制御端末器２は、ファン装置２の運転を制御するためのリレーＲｙ１、Ｒｙ２、Ｒｙ３、Ｒｙ４、Ｒｙ５、Ｒｙ６と、各リレーＲｙ１〜Ｒｙ６を制御するためのトランジスタＱ１１〜Ｑ１７よりなるリレー制御部とを備えている。このリレー制御部への給電は、上述の電源回路２２よりなされる。リレーＲｙ１、Ｒｙ２、Ｒｙ３は２巻線型のラッチングリレーである。尚図４中のダイオードＤ１１〜Ｄ１３は外来ノイズ対策用に設けられている。
【００３７】
次に本実施形態のファン装置制御システムの動作を簡単に説明する。
【００３８】
まずあるファン操作端末器３において、操作スイッチＳ４の押釦が操作された場合の動作について説明する。操作スイッチＳ１の押釦が操作されると、ファン操作端末器３から割り込み信号Ｖｉが発生して上述の割り込み処理を経た後、当該ファン操作端末器３から操作スイッチＳ４が操作されたことを示す操作データを含む返信データ信号が伝送ユニット１に返送され、伝送ユニット１は操作データが受信されると、受信した操作データに基づいて制御データＣＤを生成し、この制御データＣＤと当該ファン操作端末器３に対応しているファン制御端末器２のアドレスデータＡＤを含む伝送信号Ｖｓを信号線７に送信する。
【００３９】
当該ファン制御端末器２の信号処理部２０は自己アドレス宛の伝送信号Ｖｓにより制御データＣＤを受信すると、まずファン装置５に対する運転のオン／オフの制御実行が禁止されている状態なのか該禁止が解除されている状態なのかを設定機能の設定フラグが立っている（セットされている）か否かをみて判定する。尚初期スタート時には禁止状態は解除されているものとする。
【００４０】
ここでフラグが立っていると判定された場合は、信号処理部２０はリレーＲｙ４の状態を確認し、リレーＲｙ４が非励磁状態（オフ）の場合、リレーＲｙ４がオフされる前のリレーＲｙ１〜Ｒｙ６の状態に戻るようにリレーＲｙ１〜Ｒｙ６を制御する。例えば、リレーＲｙ４がオフされる前にファン装置５が「弱」の送風能力で動作していた場合には、信号処理部２０がリレー制御部のトランジスタＱ１１に制御信号を送り、トランジスタＱ１１をオンさせることによりリレーＲｙ１のセットコイルが励磁され、その接点ｒ１がオンとなる。その後、トランジスタＱ１７をオンさせてリレーＲｙ４を励磁する。この励磁によってその接点ｒ８がオンし、ファン装置５のモータＭへ接点ｒ６を介して電源が供給されファン装置５が「弱」の送風能力にて運転されることになる。
【００４１】
そしてファン制御端末器２からは制御確認を示す返送データ信号が電流モード信号にて伝送ユニット１に返送される。伝送ユニット１では、この返送データ信号を受信してファン装置５の動作状態を確認し、対応するファン操作端末器３の表示回路３２に現在の負荷制御状態を表示させるための制御データＣＤを生成して当該ファン操作端末器３のアドレスデータＡＤとともに伝送信号Ｖｓにより信号線７に送信する。
【００４２】
その結果、当該ファン操作端末器３では、信号処理部３０によって表示素子ＬＤ１１，ＬＤ１２、ＬＤ２１，ＬＤ２２、ＬＤ３１，ＬＤ３２、ＬＤ４１，ＬＤ４２が制御され、押釦スイッチＳ４の操作によりファン装置５の電源を「オフ」にする前の状態に戻る。
【００４３】
一方、上述の設定機能のフラグが立っていないと判定した後行うリレーＲｙ４の確認おいて、励磁状態（オン）が確認された場合には、信号処理部２０は全てのリレーＲｙ１〜Ｒｙ６をオフさせる。例えば、ファン装置５が「弱」の送風能力で動作していた場合には、信号処理部２０がリレー制御部のトランジスタＱ１２に制御信号を送り、トランジスタＱ１２をオンさせることによりリレーＲｙ１のリセットコイルが励磁され、接点ｒ１がオフとなる。その結果信号処理部２０はトランジスタＱ１７をオフさせて、リレーＲｙ４を非励磁」状態とすることにより、その接点ｒ８をオフさせＦファン装置５への電源供給を遮断させる。
【００４４】
そしてファン制御端末器２からは制御確認の返送データ信号が電流モード信号にて伝送ユニット１に返送される。伝送ユニット１では、この返送データ信号を受信してファン装置５の動作状態を確認し、ファン操作端末器３の表示回路３２に現在の負荷制御状態を表示させるための制御データＣＤ及び当該ファン操作端末器３のアドレスデータＡＤを含む伝送信号Ｖｓを信号線７に送信する。その結果、ファン操作端末器３では、各操作スイッチＳ１、Ｓ２、Ｓ３、Ｓ４にそれぞれ対応する例えば緑色の表示素子ＬＤ１１，ＬＤ２１，ＬＤ３１，ＬＤ４１が点灯する。
【００４５】
ところで上記設定機能のフラグの判定によってフラグが立っていると判定された場合、つまり禁止状態が設定されている場合には信号処理部２０は受信した制御データＣＤに基づくファン装置５に対する制御を実行せず、ファン装置５の運転状態を現状に維持する。つまりファン操作端末器３の操作スイッチＳ４によるファン装置５の運転のオン／オフ操作を無効とする。
【００４６】
次に、ファン操作端末器３の操作スイッチＳ１の押釦が操作された場合の動作について説明する。操作スイッチＳ１の押釦が操作されると、ファン操作端末器３から割り込み信号Ｖｉが発生し、割り込み処理を経た後、ファン操作端末器３からは操作スイッチＳ１の操作データを含む返信データ信号が伝送ユニット１に返送され、伝送ユニット１は受信した操作データに基づいて制御データＣＤを生成して対応するファン制御端末器３のアドレスデータＡＤ及び制御データＣＤを含む伝送信号Ｖｓを信号線７に送信する。制御データＣＤを受信した当該ファン制御端末器２では、信号処理部２０が「強」に対応するリレーＲｙ２，Ｒｙ３の状態を確認し、リレーＲｙ２，Ｒｙ３がオフの場合には、信号処理部２０がリレー制御部のトランジスタＱ１３，Ｑ１５に制御信号を送り、トランジスタＱ１３，Ｑ１５をオンさせることによりリレーＲｙ２，Ｒｙ３のセットコイルが励磁され、リレーＲｙ２の接点ｒ２，ｒ３，リレーＲｙ３の接点ｒ４，ｒ５がオンし、これによりリレーＲｙ５，Ｒｙ６が励磁され、リレーＲｙ５の接点ｒ６，リレーＲｙ６の接点ｒ７が常閉（ＮＣ）側から常開（ＮＯ）側に切り替ることになる。その結果、ファン装置５のモータＭ及び電動弁Ｖに交流電源ＡＣから電源が供給されてファン装置５が「強」の送風能力にて動作する。
【００４７】
この後、ファン制御端末器２からは制御確認の返送データ信号が電流モード信号にて伝送ユニット１に返送される。伝送ユニット１では、この返送データ信号を受信して当該ファン装置５の動作状態を確認し、対応するファン操作端末器３の表示回路３２に現在の負荷制御状態を表示させるための制御データＣＤを含む伝送信号Ｖｓを信号線７に送信する。その結果、ファン操作端末器３において操作スイッチＳ１に対応する緑色の表示素子ＬＤ１１が点灯し、かつ他の操作スイッチＳ２、Ｓ３、Ｓ４にそれぞれ対応する赤色の表示素子ＬＤ２２，ＬＤ３２，ＬＤ４２が点灯する。
【００４８】
更に、操作スイッチＳ２の押釦が操作された場合の動作について説明する。操作スイッチＳ２の押釦が操作されると、ファン操作端末器３から割り込み信号Ｖｉが発生して、ファン操作端末器３からは第２のスイッチが操作された旨の内容を含む返信データ（操作データ）が伝送ユニット１に返送され、伝送ユニット１は該操作データを受信すると、該操作データに基づいて制御データを生成して該制御データを含む伝送信号Ｖｓを信号線Ｌｓに送信し、ファン制御端末器２に制御データを伝送する。この制御データを受信したファン制御端末器２では、信号処理部２０が「中」に対応するリレーＲｙ３の状態を確認し、リレーＲｙ３がオフの場合には、信号処理部２０がリレー制御部のトランジスタＱ１３に制御信号を送り、トランジスタＱ１３をオンさせることによりリレーＲｙ３のセットコイルが励磁され、接点ｒ２，ｒ４がオンし、リレーＲｙ５が励磁され、接点ｒ６がオンとなる。その結果、ファン装置５のモータＭ及び電動弁Ｖに交流電源ＡＣから電源が供給されてファン装置５が「中」の送風能力にて動作する。この後、ファン制御端末器２からは制御確認の返送データ信号が電流モード信号にて伝送ユニット１に返送される。伝送ユニット１では、この制御確認の返送データ信号を受信してファン装置５の動作状態を確認し、対応するファン操作端末器３の表示回路３２に現在の負荷制御状態を表示させるための制御データＣＤを当該ファン操作端末器３のアドレスデータＡＤを含む伝送信号Ｖｓを信号線Ｌｓに送信する。その結果、当該ファン操作端末器３において操作スイッチＳ２に対応する緑色の表示素子ＬＤ２１が点灯し、かつ他の操作スイッチＳ１、Ｓ３、Ｓ４にそれぞれ対応する赤色の表示素子ＬＤ１２，ＬＤ３２，ＬＤ４２が点灯する。  
【００４９】
次に、操作スイッチＳ３の押釦が操作された場合の動作について説明する。操作スイッチＳ３の押釦が操作されると、ファン操作端末器３から割り込み信号Ｖｉが発生して割り込み処理後、当該ファン操作端末器３からは操作スイッチＳ３の操作データを含む返信データ信号が伝送ユニット１に返送され、伝送ユニット１は該操作データを受信すると、該操作データに基づいて制御データＣＤを生成して該制御データＣＤ及び対応するファン制御端末器２のアドレスデータＡＤを含む伝送信号Ｖｓを信号線Ｌｓに送信し、当該ファン制御端末器２に制御データＣＤを伝送する。この制御データＣＤを受信した当該ファン制御端末器２では、信号処理部２０が「弱」に対応するリレーＲｙ２、Ｒｙ３の状態を確認し、リレーＲｙ２、Ｒｙ３がオンの場合には、信号処理部２０がリレー制御部のトランジスタＱ１４，Ｑ１６に制御信号を送り、トランジスタＱ１４，Ｑ１６をオンさせることによりリレーＲｙ２，Ｒｙ３のリセットコイルが励磁され、リレーＲｙ２の接点ｒ２，ｒ３がオフとなる。その結果、ファン装置５のモータＭ及び電動弁Ｖに交流電源ＡＣから電源が供給されてファン装置５は「弱」の送風能力にて動作する。この後、ファン制御端末器２からは制御確認信号が電流モード信号にて伝送ユニット１に返送される。伝送ユニット１では、この制御確認信号を受信してファン装置５の動作状態を確認し、ファン操作端末器３の表示回路３２に現在の負荷制御状態を表示させるための制御データを含む伝送信号Ｖｓを信号線Ｌｓに送信する。その結果、ファン操作端末器３において操作スイッチＳ３に対応する緑色の表示素子ＬＤ３１が点灯し、かつ他の操作スイッチＳ１、Ｓ２、Ｓ４にそれぞれ対応する赤色の表示素子ＬＤ１２，ＬＤ２２，ＬＤ４２が点灯する。
【００５０】
以上のようにファン装置５の運転のオン／オフ操作が禁止されていない場合には、ファン操作端末器３の操作スイッチＳ４の操作によって対応するファン制御端末器２を通じてファン装置５の運転をオン／オフ操作することができ、また運転中にあっては操作スイッチＳ１〜Ｓ３により、ファン装置５の送風能力を「弱」、「中」、「強」と切り替えることができるのである。
【００５１】
ここで上述のようにファン装置５の運転のオン／オフ制御を一括禁止する必要が生じた場合には、作業者や管理者等がオン／オフ禁止操作端末器４の操作スイッチＳ０を操作すれば良い、
つまり図５においてタイミングｔａにおいてオン／オフ禁止操作端末器４の操作スイッチＳ０の押釦の操作があると、ファン操作端末器３の操作スイッチＳ１〜Ｓ４の操作時と同様に割り込み信号Ｖｉを伝送ユニット１へ返送した後、割り込み処理を経て操作データを返信データ信号として伝送ユニット１へ返送する（ｔ１）。伝送ユニット１は、オン／オフ禁止操作端末器４から操作データ信号の受信すると、ファン装置５の運転のオン／オフの禁止を指令する制御データＣＤを生成し、オン／オフ禁止操作端末器４に予め対応させている各ファン制御端末器２（２１、２２，…，２ｎ）のオン／オフ禁止の設定機能のアドレスに対して、生成した制御データＣＤを伝送信号Ｖｓにより順次送信する（ｔ１１…ｔ１ｎ）。
【００５２】
禁止指令の制御データＣＤを受信した各ファン制御端末器２の信号処理部２０は上述した設定機能によって該制御データＣＤに基づいてファン装置５の運転に対するオン／オフの禁止のフラグを立てる。これにより各ファン制御端末器２に対応付けられているファン操作端末器３での操作スイッチＳ４の操作に基づいて伝送ユニット１からファン装置５の運転のオン／オフの制御データＣＤが送られてきても、当該ファン制御端末器２は制御動作を実行せず、現状の状態を維持する。
【００５３】
尚ファン装置５の運転がオン状態で上述の「禁止」のフラグを立てた場合においては、送風能力の切り替えに対応する制御データＣＤが伝送ユニット１から送られくると、当該ファン制御端末器２は制御データＣＤの内容に基づいて送風能力を切り替える制御を実行する。
【００５４】
次に設定している「禁止」の状態を解除する場合には、オン／オフ禁止操作端末器４の操作スイッチＳ０を再操作すれば良い。
【００５５】
つまり「禁止」設定後において、図５に示すようにオン／オフ禁止操作端末器４の操作スイッチＳ０の押釦の操作があると（ｔｂ）、割り込み信号Ｖｉを伝送ユニット１へ返送した後、割り込み処理を経て操作データを返信データ信号として伝送ユニット１へ返送する（ｔ２）。伝送ユニット１は、オン／オフ禁止操作端末器４から操作データ信号の受信すると、ファン装置５の運転のオン／オフの禁止の解除を指令する制御データＣＤを生成し、オン／オフ禁止操作端末器４に予め対応させている各ファン制御端末器２（２１、２２，…，２ｎ）のオン／オフ禁止の設定機能のアドレスに対して、生成した制御データＣＤを伝送信号Ｖｓにより順次送信する（ｔ２１…ｔ２ｎ）。
【００５６】
禁止の解除指令の制御データＣＤを受信した各ファン制御端末器２の信号処理部２０は上述した設定機能によって上述のフラグをリセットして、ファン装置５の運転に対するオン／オフの禁止を解除する。これによりファン制御端末器２に対応付けられているファン操作端末器３での操作スイッチＳ４の操作に基づいて伝送ユニット１からファン装置５の運転のオン／オフの制御データＣＤが送られてくると、当該ファン制御端末器２はファン装置５の運転のオン／オフの制御動作を実行する。
【００５７】
更にまたオン／オフ禁止操作端末器４の操作スイッチＳ０を操作する（ｔｃ）と、上述と同様に「禁止」の設定の一連の動作がなされ、以後オン／オフ禁止操作端末器４の操作スイッチＳ０の操作が繰り返されることにより、「禁止解除」と「禁止」の設定の一連の動作が交互になされることになる。
【００５８】
また伝送ユニット１は、上述の禁止／禁止の解除の一連の処理において、オン／オフ禁止操作端末器４の表示回路３２の表示素子ＬＤ０１／ＬＤ０２を制御する制御データＣＤを生成し、この制御データＣＤを含む伝送信号Ｖｓをオン／オフ禁止操作端末器４宛に送信する処理を行う。つまり禁止の解除のときにには緑色の表示素子ＬＤ０１を点灯させ、赤色の表示素子ＬＤ０２を消灯させる制御データＣＤを送り、逆に禁止のときには表示素子ＬＤ０１を消灯させ、赤色の表示素子ＬＤ０２を点灯させる制御データＣＤを送る。これら表示素子ＬＤ０１，ＬＤ０２の表示によりファン装置５の運転のオン／オフ操作が禁止されているのか、否かが分かることになる。
（実施形態２））
上述の実施形態１では各ファン制御端末器２において、ファン装置５の運転のオン／オフの禁止と禁止の解除を設定するようにしているが、本実施形態では伝送ユニット１の機能として、オン／オフ禁止操作端末器４の操作スイッチＳ０の操作データを受信する毎においてファン装置５の運転のオン／オフの禁止を示すフラグのセットとリセットとを行って禁止と禁止解除の設定を行い、該フラグがセットされている状態においてファン操作端末器３からファン装置５の運転のオン／オフに対応する操作スイッチＳ４の操作データが返送されてきた場合には該操作データを無視して、対応するファン制御端末器２への制御データＣＤの送信を行わないようにする処理機能を持たせた点に特徴がある。勿論送風能力の切り替えに対応する操作データを受け取った場合には、この操作データに対応する伝送データＣＤの生成と、対応するファン制御端末器２への送信処理は行う。
【００５９】
このような本実施形態では伝送ユニット１の機能の改良のみで済むことになる。
【００６０】
尚ハードウェア構成は実施形態１と同じであるので、構成の説明及びその他の動作の説明は省略する。
【図面の簡単な説明】
【００６１】
【図１】実施形態１のシステム構成図である。
【図２】実施形態１に用いる伝送信号の構成説明図である。
【図３】実施形態１に用いるファン操作端末器（及びオン／オフ禁止操作端末器）の構成図である。
【図４】実施形態１に用いるファン制御端末器の回路図である。
【図５】実施形態１の主要動作のタイミングチャートである。
【符号の説明】
【００６２】
１  伝送ユニット
２  ファン制御端末器
３ ファン操作端末器
４  オン／オフ禁止操作端末器
５  ファン装置
６  トランス
７  信号線
８  電源トランス
９  駆動出力線
１０  操作部
Ｓ０〜Ｓ４   操作スイッチ
ＬＤ０１，ＬＤ０２〜ＬＤ４１，ＬＤ４２   表示素子
Ｆ  ファン
Ｍ  モータ
Ｖ  電動弁
ＡＣ  交流電源
【図１】
2006112739.tif 000003
【図２】
2006112739.tif 000004
【図３】
2006112739.tif 000005
【図４】
2006112739.tif 000006
【図５】
2006112739.tif 000007